(57)【要約】【課題】商品陳列棚の商品載置面にシート等が設けられている場合でも、ミラーを配置することができ、かつミラーを容易に移動させることができるミラースタンドを提供すること。【解決手段】商品陳列棚にミラーを配置するミラースタンドであって、前記ミラースタンドを前記商品陳列棚に取り付ける固定部と、ミラー把持部を有し、前記固定部に対してスライド可能な引き出し部とを備えることを特徴とするミラースタンドである。【選択図】図２
2018099418.tif 000002
【特許請求の範囲】
【請求項１】
商品陳列棚にミラーを配置するミラースタンドであって、
前記ミラースタンドを前記商品陳列棚に取り付ける固定部と、
ミラー把持部を有し、前記固定部に対してスライド可能な引き出し部と
を備えることを特徴とするミラースタンド。
【請求項２】
請求項１に記載のミラースタンドであって、
前記固定部には、前記商品陳列棚に取り付ける側にマグネットが設けられている
ことを特徴とするミラースタンド。
【請求項３】
請求項１又は２に記載のミラースタンドであって、
前記固定部には、底板部が設けられ、
前記引き出し部には、前記底板部を内部に収容する収容部が設けられている
ことを特徴とするミラースタンド。
【請求項４】
請求項３に記載のミラースタンドであって、
前記底板部には、前記固定部に対する前記引き出し部のスライド方向に複数の係止凹所が形成され、
前記収容部の内面には、前記係止凹所に係止可能な係止突起が形成されている
ことを特徴とするミラースタンド。
【請求項５】
請求項４に記載のミラースタンドであって、
前記係止凹所の前記スライド方向における幅は、前記係止突起の前記スライド方向における幅よりも長い
ことを特徴とするミラースタンド。
【請求項６】
請求項５に記載のミラースタンドであって、
前記スライド方向における前記係止凹所の幅と前記係止突起の幅との差は、前記ミラーの厚さ以上である
ことを特徴とするミラースタンド。
【発明の詳細な説明】
【技術分野】
【０００１】
本開示は、商品陳列棚にミラーを配置するミラースタンドに関する。
【背景技術】
【０００２】
スーパーマーケット等の量販店では、商品の陳列にオープンショーケース等の商品陳列棚が多く用いられている。このような商品陳列棚では、陳列した商品が手前側から抜き取られるため、奥にある商品を手前側に移動させる必要がある。このように商品を手前側に移動させた際であっても、さらに奥側に商品が広がっているように見せるために商品後方にミラーが配置されることがある。
【先行技術文献】
【特許文献】
【０００３】
【特許文献１】実開平０６−０６６４１９号公報
【発明の概要】
【発明が解決しようとする課題】
【０００４】
特許文献１に記載の商品陳列棚では、Ｌ字に形成されたミラー板が商品の後方に配置されている（図１、図２等を参照）。このようなミラー板は、ミラー板の底面に設けられたマグネット等の磁力を用いて、商品陳列棚の金属製の商品載置面上に取り付けられていることが多かった。つまり、ミラー板の商品載置面への取り付け及び取り外しは、マグネット等による磁力（引力）を用いて行われるので、陳列する商品の数に応じてミラー板を容易に前後に移動させ、固定させることができた。しかし、商品載置面上にシート等が設けられている場合は、シート等を介してミラー板を商品載置面上に取り付けなければならない。そうすると、ミラー板を商品載置面上に固定するためにはマグネット等の磁力のみでは不十分であり、取り付けた後にミラー板が商品載置面上からずれてしまうことがあった。ミラー板が商品載置面上からずれてしまうことで、ミラーに映った商品の陳列が不揃いに見えてしまうことがあり、また商品の視認性も悪くなってしまうことがあった。
【０００５】
本発明の幾つかの実施形態は、商品陳列棚の商品載置面上にシート等が設けられている場合でも、ミラーを配置することができ、かつミラーを容易に前後に移動させることができるミラースタンドを提供することを目的とする。
【課題を解決するための手段】
【０００６】
上記課題を解決するための幾つかの実施形態は、商品陳列棚にミラーを配置するミラースタンドであって、前記ミラースタンドを前記商品陳列棚に取り付ける固定部と、ミラー把持部を有し、前記固定部に対してスライド可能な引き出し部とを備えることを特徴とするミラースタンドである。
【０００７】
その他の特徴については、後述する明細書及び図面の記載により明らかにする。
【発明の効果】
【０００８】
本発明の幾つかの実施形態によれば、商品陳列棚の商品載置面上にシート等が設けられている場合でも、ミラーを配置することができ、かつミラーを容易に前後に移動させることができる。
【図面の簡単な説明】
【０００９】
【図１】図１は、本発明に係るミラースタンド１を商品陳列棚１００に設置したときの状態を示す説明図である。
【図２】図２Ａは、本発明に係るミラースタンド１において、引き出し部２０を最も後ろまで押し込んだ時の状態を示す斜視図である。図２Ｂは、本発明に係るミラースタンド１において、引き出し部２０を引き出した時の状態を示す斜視図である。
【図３】図３Ａは、固定部１０の平面図である。図３Ｂは、固定部１０の左側面図である。図３Ｃは、固定部１０の背面図である。
【図４】図４Ａは、引き出し部２０の底面図である。図４Ｂは、引き出し部２０の左側面図である。図４Ｃは、引き出し部２０の背面図である。
【図５】図５は、複数のミラーＭ１〜Ｍ８を商品陳列棚２００の周囲に配置するように本発明に係るミラースタンド１を商品陳列棚２００に設置したときの状態を示す説明図である。
【発明を実施するための形態】
【００１０】
後述する明細書及び図面の記載から、少なくとも以下の事項が明らかとなる。
【００１１】
商品陳列棚にミラーを配置するミラースタンドであって、前記ミラースタンドを前記商品陳列棚に取り付ける固定部と、ミラー把持部を有し、前記固定部に対してスライド可能な引き出し部とを備えることを特徴とするミラースタンドが明らかとなる。このようなミラースタンドによれば、商品陳列棚の商品載置面にシート等が設けられている場合でも、ミラーを配置することができ、かつミラーを容易に移動させることができる。
【００１２】
前記固定部には、前記商品陳列棚に取り付ける側にマグネットが設けられていることが望ましい。これにより、ミラースタンドを商品陳列棚に固定することができる。
【００１３】
前記固定部には、底板部が設けられ、前記引き出し部には、前記底板部を内部に収容する収容部が設けられていることが望ましい。これにより、引き出し部は固定部に対してスライド可能とすることができる。
【００１４】
前記底板部には、前記固定部に対する前記引き出し部のスライド方向に複数の係止凹所が形成され、前記収容部の内面には、前記係止凹所に係止可能な係止突起が形成されていることが望ましい。これにより、固定部に対してスライド可能な引き出し部を、引き出した状態で固定することができる。
【００１５】
前記係止凹所の前記スライド方向における幅は、前記係止突起の前記スライド方向における幅よりも長いことが望ましい。これにより、ミラーを重ねた状態で複数のミラーを商品陳列棚に設置することができる。
【００１６】
前記スライド方向における前記係止凹所の幅と前記係止突起の幅との差は、前記ミラーの厚さ以上であることが望ましい。これにより、ミラーを重ねた状態で複数のミラーを商品陳列棚に設置することができる。
【００１７】
＝＝＝実施形態＝＝＝
図１は、本発明に係るミラースタンド１を商品陳列棚１００に設置したときの状態を示す説明図である。図２Ａは、本発明に係るミラースタンド１において、引き出し部２０を最も後ろまで押し込んだ時の状態を示す斜視図である。図２Ｂは、本発明に係るミラースタンド１において、引き出し部２０を引き出した時の状態を示す斜視図である。本実施形態のミラースタンド１の基本構成について説明する前に、図１〜図２Ｂに示すミラースタンド１の商品陳列棚１００における使用方法を説明する。
【００１８】
以下の説明では、図１〜図２Ｂに示すように各方向を定義する。すなわち、ミラースタンド１における固定部１０から引き出し部２０をスライドさせる方向に沿って「前後方向」を定義し、引き出し部２０の側を「前」とし、逆側を「後」とする。「前後方向」のことを「スライド方向」と呼ぶこともある。また、ミラー押さえ板２２（又はミラー支持板２３）の長方形状の端面の長辺方向に沿って「左右方向」を定義し、後側から前側に向かって見たときの右側を「右」、逆側を「左」とする。また、前後方向及び左右方向に垂直な方向を「上下方向」とする。
【００１９】
＜ミラースタンド１の使用方法＞
図１に示す商品陳列棚１００は、店舗の壁に向かって設置する商品陳列棚を断面で示したものである。本実施形態のミラースタンド１は、商品陳列棚１００の最下段に位置する商品載置面１０１に設置されている例を示している。但し、本実施形態のミラースタンド１は、商品陳列棚１００のいずれの商品載置面にも設置できる。
【００２０】
ミラースタンド１は、商品陳列棚１００において、さらに後側に商品が広がっているように見せるためのミラーを配置する際に、ミラーを支持するための器具である。ミラースタンド１は、固定部１０と、引き出し部２０とを有する。固定部１０及び引き出し部２０の詳細な構成については後述する。なお、商品陳列棚１００の商品載置面１０１上には、不図示のシートが設けられている。このシートは、例えば、奥にある商品を手前側に移動させる（以下、前出しとも称する）ため、商品を滑りやすくする滑性層を形成したシートであってもよい。
【００２１】
ミラースタンド１は、前述のシートが設けられた商品陳列棚１００の商品載置面１０１上に、固定部１０を後方、引き出し部２０を前方にして設置される。固定部１０は、商品陳列棚１００の例えば内壁等に取り付けられる。固定部１０の側板部１１の後方面にマグネット１２（図１〜図２Ｂでは不図示、図３Ｃを参照）を設けることで、マグネット１２の磁力により、固定部１０は商品陳列棚１００の内壁等に固定される。但し、マグネット１２を用いず、他の方法で固定部１０を商品陳列棚１００の内壁等に固定してもよい。
【００２２】
引き出し部２０は、固定部１０に対して前後方向に移動可能となっている。引き出し部２０は、固定部１０に対してスライド可能とも言う。引き出し部２０の前側部分には、ミラーＭを設けることができる。なお、ミラーＭは、市販のミラーを使用することができる。
【００２３】
図１に示す通り、商品のすぐ後方にミラーＭが配置されるように、固定部１０に対する引き出し部２０の位置は調整されている。陳列した商品が手前側から抜き取られ、前出しをする際にはミラーＭを前側に移動させる必要がある。また、商品を補充する際には、ミラーＭを後側に移動させる必要がある。ミラーＭは引き出し部２０に設けられているので、固定部１０に対する引き出し部２０の位置を前後方向に移動（スライド）させることで、ミラーＭの位置も前後方向に移動させることができる。すなわち、商品を前出しした際には、固定部１０から引き出し部２０を引き出すことでミラーＭの位置を前側に移動させることができる。また、商品を補充する際には、固定部１０に対して引き出し部２０を押し込むことでミラーＭの位置を後側に移動させることができる。これにより、商品陳列棚１００の商品載置面１０１上にシート等が設けられている場合でも、ミラーＭを商品後方に配置するため容易に前後に移動させることができる。
【００２４】
＜ミラースタンド１の基本構成＞
図３Ａは、固定部１０の平面図である。図３Ｂは、固定部１０の左側面図である。図３Ｃは、固定部１０の背面図である。図４Ａは、引き出し部２０の底面図である。図４Ｂは、引き出し部２０の左側面図である。図４Ｃは、引き出し部２０の背面図である。以下、図２Ａ及び図２Ｂも参照しながら、本実施形態のミラースタンド１の基本構成について説明する。
【００２５】
固定部１０は、側板部１１と、底板部１６とを有する（図２Ａ、図２Ｂ、図３Ａ、図３Ｂ等を参照）。側板部１１は、固定部１０を商品陳列棚１００の内壁等に取り付けるための部材である。側板部１１は、内壁面等に沿って立設され、下部で後述する底板部１６に連結されている。側板部１１の後方面にマグネット１２（図３Ｃ参照）を設けることで、マグネット１２の磁力（引力）により、固定部１０を商品陳列棚１００の内壁等に固定することができる。
【００２６】
底板部１６は、商品陳列棚１００の商品載置面に設置される部材である。底板部１６は、不図示のシートが設けられた商品載置面１０１に沿うように設けられ、後部で側板部１１に連結されている。底板部１６は、後述する引き出し部２０の収容部２６に収容されるように形成されている。
【００２７】
底板部１６の上側の面には、スライド方向に複数の係止凹所１７（１７Ａ〜１７Ｄ）が設けられている（図２Ｂ、図３Ａを参照）。係止凹所１７は、後述する引き出し部２０の係止突起２７が係止する凹所である。係止凹所１７に係止突起２７が係止することにより、スライド方向における固定部１０に対する引き出し部２０の位置を固定することができる。なお、本実施形態では、係止凹所１７は４箇所設けられている。但し、係止凹所１７の数はこれに限られず、１か所でも良いし、４箇所以外の複数でもよい。また、係止凹所１７が設けられなくてもよい。
【００２８】
引き出し部２０は、ミラー把持部２１と、収容部２６とを有する（図２Ａ、図２Ｂ、図４Ａ、図４Ｂ等を参照）。ミラー把持部２１は、ミラーを把持する部材である。ミラー把持部２１は、ミラー押さえ板２２と、ミラー支持板２３とを有する。ミラーは、ミラー押さえ板２２とミラー支持板２３とによって挟持される。なお、ミラー押さえ板２２と、ミラー支持板２３との間の隙間の幅は、下に行くほど狭くなってもよい。これにより、ミラーを確実に挟持することができる。
【００２９】
収容部２６は、固定部１０の底板部１６をその内部に収容する部材である。収容部は、底板部１６を収容する際に、底板部１６に沿うように設けられ、前部でミラー把持部２１に連結されている。収容部２６は、底板部１６を上部から沿うように形成された板状部材２６Ａと、板状部材２６Ａの左右両辺に内側に突出する複数の押さえ片２８とを有する。収容部２６の板状部材２６Ａと押さえ片２８とにより、固定部１０の底板部１６を挟み込むようにして収容する。
【００３０】
収容部２６の板状部材２６Ａの背面後方には、係止突起２７が設けられている（図４Ａ、図４Ｃ等を参照）。前述したように、固定部１０の底板部１６には複数の係止凹所１７が設けられている。したがって、係止突起２７が、複数の係止凹所１７のいずれかに係止することにより、スライド方向における固定部１０に対する引き出し部２０の位置を固定することができる。図２Ａは、引き出し部２０を最も後ろまで押し込んだ時の状態であり、係止突起２７が、係止凹所１７Ａに係止したときの状態である。図２Ｂは、引き出し部２０を引き出した時の状態であり、係止突起２７が、係止凹所１７Ｄに係止したときの状態である（係止凹所１７Ｄについては、図３Ａを参照）。但し、係止凹所１７が設けられなくてもよいことと同様に、係止突起２７が設けられなくてもよい。
【００３１】
＜複数のミラーを商品陳列棚の周囲に配置する場合＞
図５は、複数のミラーＭ１〜Ｍ８を商品陳列棚２００の周囲に配置するように本発明に係るミラースタンド１を商品陳列棚２００に設置したときの状態を示す説明図である。図５に示す商品陳列棚２００は、図１で示したような店舗の壁に向かって設置する商品陳列棚１００とは異なり、壁とは独立して設置される商品陳列棚を平面で示したものである。商品陳列棚２００では、周囲に設けられた商品載置面２０１上に商品が配置される。この商品陳列棚２００においても、本実施形態のミラースタンド１を適用することができる。なお、図５に示す通り、複数のミラー（Ｍ１〜Ｍ８）のそれぞれは、２つのミラースタンド１によって支持されているが、１つのミラースタンド１や、３つ以上のミラースタンド１によって支持されてもよい。
【００３２】
図５に示す商品陳列棚２００では、複数のミラーＭ１〜Ｍ８が設置されている。また、商品陳列棚２００の角部分では、ミラーＭ５とミラーＭ６とが角部分を形成しつつ設置されている。ところで、商品陳列棚２００のような壁とは独立して設置される商品陳列棚においては、ミラーを設置する長さは、商品陳列棚毎に異なる。すなわち、長辺部分のミラー設置長さ（Ｍ１〜Ｍ５）と、短辺部分のミラー設置長さ（Ｍ６〜Ｍ８）は、商品陳列棚毎に異なる。本実施形態のミラースタンド１では、長辺部分及び短辺部分のミラー設置長さが異なる商品陳列棚においても、図５に示すようにミラー同士を部分的に重ねて配置することで、角部分におけるミラーの余り部分が出ないように設置長さを調整してミラーを配置することができる。
【００３３】
本実施形態のミラースタンド１では、ミラー同士を部分的に重ねて配置するために、ミラースタンド１の引き出し部２０の引き出し位置を調整することができる。つまり、ミラースタンド１のミラー把持部２１のスライド方向における位置を調整することができる。例えば、図５において、ミラーＭ４とミラーＭ５とは部分的に重ねて配置されている。この場合、ミラーＭ４を後方に、ミラーＭ５を前方にするようにして重ねるために、ミラーＭ４を支持するミラースタンド１の引き出し部２０の引き出し位置は、ミラーＭ５を支持するミラースタンド１の引き出し部２０の引き出し位置より後方に位置している。あるいは、ミラーＭ５を支持するミラースタンド１の引き出し部２０の引き出し位置は、ミラーＭ４を支持するミラースタンド１の引き出し部２０の引き出し位置より前方に位置している。
【００３４】
本実施形態のミラースタンド１では、前述した引き出し部２０の引き出し位置を調整するために、底板部１６の係止凹所１７のスライド方向における幅（Ｘ）をスライド方向における係止突起２７の幅（Ｙ）より長くしてもよい（Ｘ＞Ｙ、図３Ａ、図４Ａ等を参照）。これにより、係止凹所１７に係止突起２７が係止したまま、スライド方向における固定部１０に対する引き出し部２０の位置を移動することができ、ミラーを重ねた状態で複数のミラーを商品陳列棚２００に設置することができる。
【００３５】
また、本実施形態のミラースタンド１では、より好ましくは、底板部１６の係止凹所１７のスライド方向における幅（Ｘ）は、係止突起２７の幅（Ｙ）より、ミラーの厚み分だけ長いことが好ましい。すなわち、スライド方向における係止凹所１７の幅（Ｘ）と係止突起２７の幅（Ｙ）との差（Ｘ−Ｙ）は、ミラーの厚さ（Ｚ）以上であることが好ましい（Ｘ−Ｙ≧Ｚ、図３Ａ、図４Ａ、図５等を参照）。これにより、係止凹所１７に係止突起２７が係止したまま、スライド方向における固定部１０に対する引き出し部２０の位置を移動することができ、ミラーを重ねた状態で複数のミラーを商品陳列棚２００に設置することができる。また、ミラーを曲げずに重ねることができる。
【００３６】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００３７】
１  ミラースタンド、
１０  固定部、
１１  側板部、１２  マグネット、
１６  底板部、１７  係止凹所、
２０  引き出し部、
２１  ミラー把持部、２２  ミラー押さえ板、２３  ミラー支持板、
２６  収容部、２６Ａ  板状部材、２７  係止突起、２８  押さえ片、
１００・２００  商品陳列棚、
１０１・２０１  商品載置面
【図１】
2018099418.tif 000003
【図２】
2018099418.tif 000004
【図３】
2018099418.tif 000005
【図４】
2018099418.tif 000006
【図５】
2018099418.tif 000007